(57)【特許請求の範囲】
【請求項１】
電路に流れる漏電電流を検出する零相変流器と、この零相変流器の出力により通電されて励磁されるコイルと、両端部に開口する筒状に形成されて外側にコイルが巻装されるコイル枠と、このコイル枠内部に出没自在に挿入され、コイル励磁時に一端側の開口からコイル枠内部に吸引されるプランジャと、プランジャが吸引された時に電路に介在させた接点を開極させて電路を遮断する遮断機構部と、零相変流器に疑似漏電電流を流す経路に介在するテストスイッチと、このテストスイッチをオンオフするテスト釦と、プランジャに連動して漏電表示位置と非漏電表示位置の間を移動する漏電表示部材と、少なくとも漏電表示位置に在る漏電表示部材を外部に臨ませる窓孔を有した器体と、側片によりコイル枠を両端から挟むように配設される略コ字型のヨークとを備え、窓孔が開口する器体表面のコイル枠を挟んだ窓孔と反対側の位置にテスト釦が配設され、プランジャに連結されてコイル枠の他端側の開口から進退自在に突出する連結部が漏電表示部材に設けられ、連結部が突出するコイル枠他端側の開口を通してヨークの側片をプランジャの端部に対向させたことを特徴とする漏電遮断器。
【請求項２】
漏電表示部材は連結部と対向する方向に折り返して形成されることを特徴とする請求項１記載の漏電遮断器。
【請求項３】
漏電表示部材が非磁性材料で形成されたことを特徴とする請求項１又は２記載の漏電遮断器。
【請求項４】
コイルの非励磁時にコイル枠の端部に当接してコイル枠からのプランジャの抜けを防ぐ抜止部を漏電表示部材に設けたことを特徴とする請求項１又は２又は３記載の漏電遮断器。
【請求項５】
プランジャを反吸引方向に付勢する復帰ばねと、遮断機構部と連動して動作し、コイル枠内部に吸引されたプランジャに係合してプランジャの反吸引方向への移動を規制するとともに、遮断機構部による電路の遮断を中止して接点を閉極させたリセット時にはプランジャとの係合を解除するストッパ部材とを備えたことを特徴とする請求項１〜４の何れかに記載の漏電遮断器。
【発明の詳細な説明】
【０００１】
【発明の属する技術分野】
本発明は、配電線に流れる漏洩電流或いは地絡電流等の漏電電流を検出して電路を遮断するとともに電路の遮断状態を表示する機能を備えた漏電遮断器に関するものである。
【０００２】
【従来の技術】
一般にこの種の漏電遮断器には、漏電電流の検出による電路の遮断動作をテストするために擬似的な漏電電流を流すテストスイッチと、器体の上面に進退自在に突出し押圧操作時にテストスイッチをオンして疑似漏電電流を流させるテスト釦と、漏電電流の検出による電路の遮断時に器体上面から突出して漏電状態（電路の遮断状態）を表示する漏電表示部材とが設けられている。
【０００３】
ここで、漏電表示部材は漏電発生時に器体上面より突出する構造であるため、器体から少しでも離れた場所からでは漏電表示部材が突出しているか否かの判別が困難であり、正常状態と漏電状態の区別がつけにくいという問題があった。
【０００４】
これに対して、漏電発生時に漏電表示部材をスライド移動させ、器体上面に開口する窓孔から漏電表示部材を外部に臨ませることで漏電状態を表示するようにしたものが提案されている（実開昭５３−１１５３７４号公報参照）。
【０００５】
【発明が解決しようとする課題】
しかしながら、上記公報に記載されている従来例においては、漏電検出により励磁されたコイルに吸引されるプランジャの上方に漏電表示部材が配設されているため、通常、コイルのプランジャが出没する側に配設されるテスト釦の収納スペースを確保することが困難になるという問題があった。
【０００６】
本発明は上記問題に鑑みて為されたものであり、その目的とするところは、正常状態と漏電状態とが区別し易く、且つテスト釦を器体に収納し易い漏電遮断器を提供することにある。
【０００７】
【課題を解決するための手段】
請求項１の発明は、上記目的を達成するために、電路に流れる漏電電流を検出する零相変流器と、この零相変流器の出力により通電されて励磁されるコイルと、両端部に開口する筒状に形成されて外側にコイルが巻装されるコイル枠と、このコイル枠内部に出没自在に挿入され、コイル励磁時に一端側の開口からコイル枠内部に吸引されるプランジャと、プランジャが吸引された時に電路に介在させた接点を開極させて電路を遮断する遮断機構部と、零相変流器に疑似漏電電流を流す経路に介在するテストスイッチと、このテストスイッチをオンオフするテスト釦と、プランジャに連動して漏電表示位置と非漏電表示位置の間を移動する漏電表示部材と、少なくとも漏電表示位置に在る漏電表示部材を外部に臨ませる窓孔を有した器体と、側片によりコイル枠を両端から挟むように配設される略コ字型のヨークとを備え、窓孔が開口する器体表面のコイル枠を挟んだ窓孔と反対側の位置にテスト釦が配設され、プランジャに連結されてコイル枠の他端側の開口から進退自在に突出する連結部が漏電表示部材に設けられ、連結部が突出するコイル枠他端側の開口を通してヨークの側片をプランジャの端部に対向させたことを特徴とし、漏電発生時には漏電表示位置に移動した漏電表示部材が器体の窓孔を通して視認できるために正常状態と漏電状態とが区別し易く、しかも、漏電表示部材がコイル枠を挟んでテスト釦と反対側に配置されるために漏電表示部材がテスト釦の邪魔にならずにテスト釦が器体に収納し易くなる。また、吸引力を増大させてプランジャ並びに漏電表示部材の移動を確実に行わせることができる。
【０００８】
請求項２の発明は、請求項１の発明において、漏電表示部材は連結部と対向する方向に折り返して形成されることを特徴とし、漏電表示部材の移動範囲をコイル枠に近づけて器体の小型化が図れる。
【０００９】
請求項３の発明は、請求項１又は２の発明において、漏電表示部材が非磁性材料で形成されたことを特徴とし、励磁されたコイルの磁気吸引力が漏電表示部材に働かず、漏電表示部材をスムーズに移動させることができる。
【００１１】
請求項４の発明は、請求項１又は２又は３の発明において、コイルの非励磁時にコイル枠の端部に当接してコイル枠からのプランジャの抜けを防ぐ抜止部を漏電表示部材に設けたことを特徴とし、コイル枠からのプランジャの抜け防止にヨークが関与しないためにプランジャを反吸引方向に移動する際に不要な力が働かず、プランジャの移動が容易になる。
【００１２】
請求項５の発明は、請求項１〜４の何れかの発明において、プランジャを反吸引方向に付勢する復帰ばねと、遮断機構部と連動して動作し、コイル枠内部に吸引されたプランジャに係合してプランジャの反吸引方向への移動を規制するとともに、遮断機構部による電路の遮断を中止して接点を閉極させたリセット時にはプランジャとの係合を解除するストッパ部材とを備えたことを特徴とし、漏電発生時にはストッパ部材によってプランジャの反吸引方向への移動を規制するために漏電表示位置にある漏電表示部材を窓孔に臨む状態で静止させることができ、また、リセット時にはストッパ部材とプランジャとの係合を解除することで復帰ばねのばね力によってプランジャが元の位置に復帰して漏電表示部材を非漏電表示位置に移動させることができる。その結果、正常状態と漏電状態とをさらに確実に表示させることができる。
【００１３】
【発明の実施の形態】
以下、図１〜図９を参照して本発明の実施形態を説明する。
【００１４】
本実施形態は住宅用分電盤の主幹開閉器に用いられるものであって、直方体状に形成された合成樹脂製の器体１を有する。器体１の上端部には端子台３０が形成されており、端子台３０にはそれぞれ端子ねじ３２を有したねじ付き端子よりなる３つの入力端子３，３，３が左右方向に並設されており、中央の入力端子３に単相３線式の中性線が接続され、両側の入力端子３，３に電圧線が接続される。端子台３０には、隣り合う入力端子３，３間を絶縁する絶縁壁３５が形成されている。また、図２に示すように器体１の上端部の右端部から上方へ端子取付部１０が連続一体に突出しており、端子取付部１０の右側面から３つの出力端子４，４，４が突出する形で配置されている。而して、入力端子３，３，３と出力端子４，４，４とは１対１で対応付けされており、入力端子３，３，３にはそれぞれ電圧線及び中性線の電線導体（図示せず）が接続され、出力端子４，４，４にはそれぞれ母線となる導電バー（図示せず）が端子ねじを用いて接続される。また、端子取付部１０の内部には後述する接続線７を収納する収納部１５が形成され、この収納部１５と端子台３０とが隔壁２７によって仕切られている。
【００１５】
図３に示すように、器体１内には、器体１の幅方向（図３における左右方向）に並設された３つの接点部２６，２６，２６と、開閉機構部５と、接点部２６，２６，２６が介挿された電路（主回路）に流れる漏洩電流や地絡電流等の漏電電流を検出する零相変流器ＣＴと、零相変流器ＣＴの出力により動作し漏電電流が流れたときに接点部２６，２６，２６を強制的に開極させるように開閉機構部５を作動させる電磁釈放装置９と、上記電路に短絡電流や過電流のような異常電流が流れたときに接点部２６，２６，２６を強制的に開極させるように開閉機構部５を作動させる引き外し装置６，６とが収納されており、３極の接点部２６，２６，２６を器体１の前面に露設した単一のハンドル２によって開閉操作可能としてある。
【００１６】
ここで、器体１は前面が開口するボディ１ａと、ボディ１ａの前面側に覆着されるカバー１ｂとから構成されている。ボディ１ａには内部空間を各極毎に区分けする絶縁壁２８が形成されており、隣り合う接点部２６，２６間の絶縁を図っている。
【００１７】
接点部２６は、入力端子３，３，３の端子板３１，３１，３１の下端縁から延設されたＬ字状の接点保持片３３，３３，３３の先端部に固着された固定接点２１，２１，２１と、導電性金属により短冊状に形成された可動接触子２５，２５，２５の長手方向の一端部に固着され固定接点２１，２１，２１に接離する可動接点２２，２２，２２とで構成される。ここで、電圧線に接続される両側の入力端子３，３に対応する可動接触子２５，２５は各々引き外し装置６，６及び被覆電線からなる接続線７，７を介して上記各入力端子３，３に対応する出力端子４，４に接続され、中性線に接続される中央の入力端子３に対応する可動接触子２７は接続線７を介して上記入力端子３に対応する出力端子４に接続される。また、これらの接続線７，７，７は器体１の下部に収納された零相変流器ＣＴのトロイダルコアの貫通孔に挿通されるとともに器体１内部の下面および右側面に沿って器体１内に形成されたＬ字状の収納部１５内で引き回してある。
【００１８】
器体１前面（カバー１ｂ前面）の中央には矩形状に開口するハンドル挿通孔２９が形成される。また、器体１内部のハンドル挿通孔２９の近傍には、ハンドル２を軸支するハンドル軸８の両端部を受ける軸受け部（図示せず）を備えたフレーム１２が設けられる。ハンドル２にはハンドル挿通孔２９を通して器体１の前面に突出する操作部２ａが設けられる。すなわち、ハンドル２は操作部２ａがハンドル挿通孔２９の開口面と略面一になる位置と、操作部２ａがハンドル挿通孔２９から突出する位置（図４参照）との間でハンドル軸８を支点として回動し起伏自在になっている。また、器体１内部に収納されるハンドル２の下面にはリンク支持部２ｂが突設され、リンク支持部２ｂの下部両側面には軸突起２ｃが突設される。ここで、操作部２ａとリンク支持部２ｂとは、図４に示すように一直線上にはなく略く字形になるように互いの突出方向が設定されている。さらに、ハンドル２は軸受け部の周囲に装着された鋏形ばねよりなるハンドル復帰ばね１６によって操作部２ａが器体１前面から起立する向きに付勢されている。
【００１９】
開閉機構部５は、一対の脚片の端部が支軸１１ｂにより連結されて略コ字形に形成されるとともに各脚片の先端部に形成された軸受け孔１１ａに対してハンドル２に設けた軸突起２ｃが挿通されるハンドルリンク１１と、一端部がハンドル２近傍においてフレーム１２に回動自在に支承され、他端部が可動接触子２５側に延伸されるとともに延伸された先端部が引き外し部材６０の脚片６０ｂ先端に当接してラッチされるラッチ板１３と、器体１の隔壁２７並びに隔壁２７と対向する内壁面に前後方向（図３における紙面に垂直な方向）に沿って形成された溝部１４に両端部が係止され、器体１の前後方向に移動自在に収納される可動枠１７とを備える。ここで、フレーム１２には器体１後方に凸となる弧状に湾曲したガイド溝１２ａが形成され、このガイド溝１２ａにハンドル２の軸突起２ｃの先端部が挿入されることによって、ハンドルリンク１１の移動範囲が規制される。また、ハンドルリンク１１の支軸１１ｂがラッチ板１３並びに可動枠１７の中央前端部に当接させてある。
【００２０】
また、図８に示すように可動枠１７は絶縁性を有する合成樹脂成型品からなり、３つの可動接触子２５，２５，２５がそれぞれ挿通係止される係止溝１７ａが並設される。ここで、可動接触子２５，２５，２５は、可動接点２２と反対側の端部がボディ１ａ内底面より突設された係止片１８に係止されるとともに、可動枠１７の係止溝１７ａに係止される部位と係止片１８に係止される端部との間の部位がコイルばね１９によって器体１の前方に付勢されている。このコイルばね１９は、一端側がボディ１ａ内底面の溝部１４と係止片１８との間に突設されている突起２０に挿着され、他端側が可動接触子２５に当接している。
【００２１】
引き外し板６０は、３つの可動接触子２５，２５，２５を跨ぐように器体１の左右幅方向に沿って配設される基片６０ａと、基片６０ａの略中央下部より上方に突設された脚片６０ｂと、基片６０ａの隔壁２７側の端部近傍より上方へ突設されるとともに先端部から係合突起６０ｄが突出した駆動片６０ｃとを備え、基片６０ａの略中央下部に突設された軸突起６０ｅがフレーム１２の軸受け部（図示せず）に支承されて軸突起６０ｅの回りに回動自在となっている。ここで、引き外し板６０は軸受け部の周囲に装着された鋏形ばねよりなる引き外し板復帰ばね６１によって脚片６０ｂがラッチ板１３に近づく向き（図４における時計回り）に付勢されている。
【００２２】
而して、図４に示すように接点部２６が開極した状態（開放状態）から操作部２ａを伏せるようにハンドル２を回動させるとリンク支持部２ｂがラッチ板１３の方へ倒れるように回動し、これに伴ってハンドルリンク１１がハンドル２の軸突起２ｃを支点として図４中時計回りに回動する。このハンドルリンク１１の回動に伴ってハンドルリンク１１の支軸１１ｂがラッチ板１３に摺接しながら後方（図４における左方向）へ移動し、コイルばね１９のばね力に抗して可動枠１７を後方へ押駆動することによって可動接触子２５が後方へ移動する。そして、ハンドル軸８とハンドルリンク１１の支軸１１ｂとを結ぶ直線よりもハンドル２の軸突起２ｃがラッチ板１３側へ移動すると、ラッチ板１３の先端部が引き外し部材６０の脚片６０ｂの先端に当接してラッチされるため、操作部２ａがハンドル挿通孔２９の開口面と略面一になる位置でハンドル２が固定される。このとき、ハンドルリンク１１の支軸１１ｂによって可動枠１７が後方へ押圧されるため、可動枠１７の係止溝１７ａに係止された３つの可動接触子２５，２５，２５も後方へ押駆動され、図６に示すように各可動接触子２５の先端部に固着されている可動接点２２が各々対向する固定接点２１に接触して接点部２６が閉極した状態（投入状態）となる。なお、上述の説明とは逆に図６に示す投入状態から操作部２ａを起立させる方向へハンドル２を回動すれば、ハンドルリンク１１の支軸１１ｂが前方へ移動し、コイルばね１９のばね力によって可動枠１７が前方へ移動するために可動接点２２が固定接点２１から離れて接点部２６が開極し、図４に示す開放状態となる。
【００２３】
上述のように構成される開閉機構部５は、接点部２６の閉極状態において主回路に漏電電流が流れれば電磁釈放装置９の作動により、短絡電流や過電流などの異常電流が流れれば引き外し装置６，６の作動により、引き外し部材６０が駆動されてラッチ板１３のラッチ状態が解除されて接点部２６を強制的に開極させるように機能する。すなわち、本実施形態では開閉機構部５により遮断機構部を兼用している。
【００２４】
電磁釈放装置９は、図８に示すように零相変流器ＣＴの出力により通電されて励磁されるコイル９０と、絶縁材料により両端部に開口を有する筒状に形成されて外側にコイル９０が巻装されるコイル枠９１と、磁性体により前方（図８における上方）に開放された略コ字型に形成されたヨーク９２と、コイル枠９１内部に出没自在に挿入されるプランジャ９３とを備える。コイル枠９１は軸方向両端部に外鍔９１ａ，９１ｂを有する角筒状に形成され、一方の外鍔９１ｂの軸方向に直交する方向の両端部にはコイル９０の端末を接続するコイル端子９１ｃ，９１ｃが植設されており、これらの端子９１ｃ，９１ｃが図示しない漏電検出回路の出力端に接続される。漏電検出回路では零相変流器ＣＴの２次巻線の出力を増幅し、その増幅出力が所定レベルを越えると出力端間に通電してコイル９０を励磁する。また、コイル枠９１の外鍔９１ｂの下方（図８における右方）には、後述するストッパ部材９４が前後方向（図８における上下方向）に移動自在に挿通されるストッパ部材挿通孔９５ａ、並びにテストスイッチを構成する固定接点板９６を支持する支持台９５ｂを有し、内部がコイル枠９１の内部空洞に連通し且つ端部が開口した突部９５がコイル枠９１と一体に突設されている。また、突部９５の支持台９５ｂには固定接点板９６が支持されるとともに、帯板状の導電部材を略へ字形に折曲してなる可動接点板９７の基端部９７ａが固定され、可動接点板９７の先端の接触部９７ｂと固定接点板９６とが接離自在に対向する。而して、固定接点板９６と可動接点板９７とでテストスイッチが構成されており、後述するようにテスト釦４２の押操作によって撓められた可動接点板９７の接触部９７ｂが固定接点板９６と接触導通してテストスイッチがオンすると、図示しない試験回路が作動して零相変流器ＣＴに不平衡電流を流して擬似的に漏電状態を作り出すようになっている。
【００２５】
ストッパ部材９４は合成樹脂により矩形平板状に形成され、中央にプランジャ９３が挿通する挿通窓９４ｃが開口する本体９４ａと、本体９４ａの一端側角部より後方（図８における下方）に垂設されて先端部に係合突起９４ｄが突出した腕部９４ｂとを備える。また、本体９４ａの挿通窓９４ｃ前方の内周面からは後方へ突出する取付突部９４ｅが形成されている。而して、コイルばねからなるストッパ部材復帰ばね９８の一端部に取付突部９４ｅを嵌合して取り付け、腕部９４ｂの側から突部９５のストッパ部材挿通孔９５ａにストッパ部材９４を挿入すれば、ストッパ部材挿通孔９５ａの内壁面に形成されている係止段部９５ｃにストッパ部材復帰ばね９８の他端部が係止し、ストッパ部材復帰ばね９８により反挿入方向へ付勢された状態でストッパ部材９４が突部９５に取り付けられる。
【００２６】
プランジャ９３は磁性を有する金属板を折曲することにより、後方（図８における下方）に開放する断面形状略コ字形の主部９３ａと、主部９３ａの下面（図８における右側端面）より外側へ略ハ字状に開く脚片９３ｂ，９３ｂとが一体に形成されている。ここで、片方の脚片９３ｂの後端（図８における下端）には略へ字形の駆動片９３ｃが一体に延設されている。而して、コイルばねからなるプランジャ復帰ばね９９に内挿した主部９３ａの上端（図８における左端）を、突部９５の開口から突部９５に取り付けられたストッパ部材９４の挿通窓９４ｃを通過してコイル枠９１の内部にまで挿入することにより、コイル枠９１の下端側の開口から突部９５の開口を通してプランジャ９３が出没自在となる。ここで、図５に示すように突部９５の内部は開口側の大径部位とコイル枠９１側の小径部位とからなり、開口から大径部位内に挿入されたプランジャ復帰ばね９９が小径部位の開口周縁部とプランジャ９３の脚片９３ｂ，９３ｂとの間に圧縮状態で介装され、プランジャ復帰ばね９９によってプランジャ９３がコイル枠９１への反挿入方向へ付勢される。また、ストッパ部材９４は、本体９４ａの挿通窓９４ｃ後方の周縁部９４ｆがプランジャ９３の主部９３ａの開放端縁に当接してストッパ部材挿通孔９５ａからの抜け止めが図られている。
【００２７】
ヨーク９２は、図５に示すように両側片９２ａ，９２ａがコイル９０の軸方向に沿って外鍔９１ａ，９１ａに当接するようにコイル枠９１の後方側に取着される。ここで、下端側の側片９２ａにはプランジャ９３を逃がすための逃がし溝９２ｂが形成されており、この逃がし溝９２ｂを通してコイル枠９１の内部にプランジャ９３が挿入される。また、上端側の側片９２ａはコイル枠９１の上端側の開口を略半分程度被う寸法に形成されており、この開口を通してプランジャ９３の上端部とヨーク９２の上端側の側片９２ａとが対向させてある。
【００２８】
ところで、プランジャ９３の上端部には連結部１０１を介して漏電表示部材１００が取り付けられる。漏電表示部材１００は、後述するようにプランジャ９３に連動して漏電表示位置と非漏電表示位置の間をスライド移動するものであって、非磁性材料によって矩形板状に形成され、前面下部には漏電状態を表す文字（例えば、「異常」の２文字）が印刷等の適宜の方法で表示されている。また、漏電表示部材１００の上側端縁の中央からは略Ｌ字形の連結部１０１が一体に形成されており、漏電表示部材１００と連結部１０１とで全体が略コ字形となっている。連結部１０１はコイル枠９１の内部に挿通可能な幅寸法であって、先端にはプランジャ９３に固定される固定部１０２が一体に形成されている。この固定部１０２は連結部１０１よりも幅細であって先端部が二股に形成され、両端縁には係合爪１０２ａ，１０２ａが突設されている。一方、プランジャ９３の主部９３の上端縁からは固定部１０２を前後方向から狭持する３つの取付爪９３ｄ，９３ｄ，９３ｄが突設されるとともに、固定部１０２の係合爪１０２ａ，１０２ａを係合する係合溝９３ｅ，９３ｅ主部９３ａの上部に形成されている。而して、図５に示すように漏電表示部材１００がコイル枠９１の前方に位置する向きで、コイル枠９１の上端側の開口縁とヨーク９２の側片９２ａの先端縁との隙間から固定部１０２並びに連結部１０１をコイル枠９１の内部に挿入し、プランジャ９３の取付爪９３ｄ、９３ｄ、９３ｄに固定部１０２を狭持させ且つ係合爪１０２ａ，１０２ａを係合溝９３ｅ，９３ｅに係合することで固定部１０２がプランジャ９３に抜け止め状態で固定される。その結果、コイル枠９１の上端側の開口から突出した連結部１０１が外鍔９１ａを跨ぐようにコイル枠９１の前面側へ折り返され、漏電表示部材１００がコイル枠９１の前面と略平行に配置されることになる。なお、プランジャ９３がコイル枠９１の内部から抜け出る方向に移動すると、図５に示すように連結部１０１がコイル枠９１の外鍔９１ａに当接してプランジャ９３の抜け止めが図られる。
【００２９】
ところで、可動枠１７にはストッパ部材９４の腕部９４ｂが進退自在に挿入される凹溝１７ｂが形成されるとともに、凹溝１７ｂの前端部には腕部９４ｂ先端の係合突起９４ｄが係合して抜け止めされる係合突部１７ｃが形成されている。
【００３０】
上述のように構成される電磁釈放装置９は、図１に示すように漏電表示部材１００が器体１前面に形成された窓孔４０に対向し、可動接点板９７が器体１前面に押し込み自在に配設されたテスト釦４２と対向するように器体１内部の前方寄りに配設される。而して、漏電表示部材１００がコイル枠９１を挟んでテスト釦４２と反対側に配置されるため、漏電表示部材１００がテスト釦４２の邪魔にならず、テスト釦４２が器体１に収納し易くなる。
【００３１】
次に、上述のように構成される電磁釈放装置９の動作を説明する。まず、主回路に漏電電流が流れていない正常時においては、図６に示すように零相変流器ＣＴの２次側に不平衡電流が流れないためにコイル９０に通電されず、よってコイル９０が励磁されないことからプランジャ復帰ばね９９のばね力によってプランジャ９３がコイル枠９１の内部から突出し、連結部１０１がコイル枠９１の外鍔９１ａに当接する位置で停止する。このとき、可動枠１７はハンドルリンク１１に押し下げられて後方へ移動し接点部２６を閉極させている。また、ストッパ部材９４は、腕部９４ｂの係合突起９４ｄが可動枠１７の係合突部１７ｃに係合しているために可動枠１７の移動に合わせて後方へ引っ張られている。なお、この状態（正常状態）ではプランジャ９３の駆動片９３ｃは引き外し部材６０の基片６０ａに設けられた貫通孔６０ｅに挿通されて引き外し部材６０と干渉しないようになっている。このとき、連結部１０１によってプランジャ９３に連結されている漏電表示部材１００は移動範囲の最下端位置（非漏電表示位置）にあり、器体１の前面に設けられた窓孔４０には漏電表示部材１００の前面上部、すなわち漏電状態を示す文字が記されていない部位が臨み、図９（ａ）に示すように窓孔４０を通して非漏電状態（正常状態）であることが表示される。
【００３２】
一方、地絡事故が発生して零相変流器ＣＴの２次側に不平衡電流が流れれば、図示しない漏電検出回路の出力によって電磁釈放装置９のコイル９０に通電される。通電によりコイル９０が励磁されると、コイル９０−プランジャ９３−ヨーク９２を通る磁路の磁気抵抗を小さくするようにプランジャ９３に対して吸引力が働き、プランジャ復帰ばね９９のばね力に抗してプランジャ９３がコイル枠９１の内部に引き込まれて上方へ移動する。プランジャ９３が上方へ移動すると、プランジャ９３の駆動片９３ｃが引き外し部材６０の係合突起６０ｄと係合して係合突起６０ｄが突設されている駆動片６０ｃに上向きの力を作用させる。この上向きの力によって引き外し部材６０が引き外し部材復帰ばね６１のばね力に抗して図６における反時計回りに回動し、引き外し部材６０の脚片６０ｂとラッチ板１３の先端部とのラッチが解除される。すると、ラッチ板１３による支えがなくなったハンドルリンク１１が下方（ラッチ板１３に近づく向き）に移動し、ハンドル２の軸突起２ｃがハンドル軸８とハンドルリンク１１の支軸１１ｂとを結ぶ直線よりも可動枠１７側へ移動するから、ハンドル復帰ばね１６のばね力によってハンドル２が起立方向（図４における時計回り）に回動し、それに合わせてハンドルリンク１１の支軸１１ｂが前方へ移動する。このため、ハンドルリンク１１による可動枠１７への押圧力が作用しなくなって、コイルばね１９のばね力によって可動接触子２５並びに可動枠１７も前方へ移動して接点部２６が強制的に開極（トリップ）される（図７参照）。また、可動枠１７の前方への移動によって腕部９４ｂの係合突起９４ｄと可動枠１７の係合突部１７ｃとの係合が外れ、ストッパ部材復帰ばね９８のばね力によってストッパ部材９４が前方へ移動し、ストッパ部材９４の本体９４ａの周縁部９４ｆがプランジャ９３の主部９３ａ下端側に形成されている凹部９３ｅと係合する。このとき、プランジャ９３の上方への移動に伴って漏電表示部材１００が移動範囲の最上端位置（漏電表示位置）に移動し、器体１前面の窓孔４０に漏電表示部材１００の前面下部、すなわち漏電状態を示す文字が記されている部位が臨み、図９（ｂ）に示すように窓孔４０を通して漏電状態であることが表示される。なお、窓孔４０には漏電表示の文字を拡大するためのレンズ４１が嵌め込まれており、漏電表示の文字（「異常」）が見やすくなっている。
【００３３】
ここで、接点部２６が開極すれば零相変流器ＣＴの２次側に不平衡電流が流れなくなり、漏電検出回路からの通電が停止してコイル９０が励磁されなくなってプランジャ９３にも吸引力が働かず、プランジャ復帰ばね９９のばね力によってプランジャ９３が下方へ移動しようとするが、上述のようにストッパ部材９４の本体９４ａの周縁部９４ｆがプランジャ９３の主部９３ａ下端側に形成されている凹部９３ｅと係合するため、図１に示すようにプランジャ９３の移動がストッパ部材９４によって規制され、漏電表示部材１００が漏電表示位置で静止する。なお、上述したようにハンドル２を操作して接点部２６を閉極させるリセット動作を行えば、可動枠１７の後方への移動によって腕部９４ｂの係合突起９４ｄと可動枠１７の係合突部１７ｃとが係合し、ストッパ部材復帰ばね９８のばね力に抗してストッパ部材９４が後方へ移動してストッパ部材９４の本体９４ａの周縁部９４ｆとプランジャ９３の凹部９３ｅとの係合が外れ、プランジャ復帰ばね９９のばね力によりプランジャ９３が下方へ移動して図６の投入状態に復帰する。而して、漏電発生時にはストッパ部材９４によってプランジャ９３の反吸引方向への移動を規制するために漏電表示位置にある漏電表示部材１００を窓孔４０に臨む状態で静止させることができ、また、リセット時にはストッパ部材９４とプランジャ９３との係合を解除することでプランジャ復帰ばね９９のばね力によってプランジャ９３が元の位置に復帰して漏電表示部材１００を非漏電表示位置に移動させることができるから、正常状態と漏電状態とを確実に表示させることができる。
【００３４】
本実施形態は上述のように動作して漏電発生時に接点部２６を強制的に開極させるとともに、器体１前面に設けた窓孔４０を通して漏電表示部材１００による漏電状態の表示を行うものであるが、漏電表示部材１００を連結部１０１と対向する方向に折り返して形成することにより、漏電表示部材１００の移動範囲をコイル枠９１に近づけて器体１の小型化を図っている。また、漏電表示部材１００を非磁性材料で形成することにより、励磁されたコイル９０の磁気吸引力が漏電表示部材１００には働かず、漏電表示部材１００をスムーズに移動させることができる。さらに、連結部１０１によってプランジャ９３の抜け止めを行っているから、コイル枠９１からのプランジャ９３の抜け防止にヨーク９２が関与せず、プランジャ復帰ばね９９のばね力でプランジャ９３を反吸引方向に移動する際に不要な力が働かず、プランジャ９３の移動が容易になるという利点がある。
【００３５】
【発明の効果】
請求項１の発明は、電路に流れる漏電電流を検出する零相変流器と、この零相変流器の出力により通電されて励磁されるコイルと、両端部に開口する筒状に形成されて外側にコイルが巻装されるコイル枠と、このコイル枠内部に出没自在に挿入され、コイル励磁時に一端側の開口からコイル枠内部に吸引されるプランジャと、プランジャが吸引された時に電路に介在させた接点を開極させて電路を遮断する遮断機構部と、零相変流器に疑似漏電電流を流す経路に介在するテストスイッチと、このテストスイッチをオンオフするテスト釦と、プランジャに連動して漏電表示位置と非漏電表示位置の間を移動する漏電表示部材と、少なくとも漏電表示位置に在る漏電表示部材を外部に臨ませる窓孔を有した器体と、側片によりコイル枠を両端から挟むように配設される略コ字型のヨークとを備え、窓孔が開口する器体表面のコイル枠を挟んだ窓孔と反対側の位置にテスト釦が配設され、プランジャに連結されてコイル枠の他端側の開口から進退自在に突出する連結部が漏電表示部材に設けられ、連結部が突出するコイル枠他端側の開口を通してヨークの側片をプランジャの端部に対向させたので、漏電発生時には漏電表示位置に移動した漏電表示部材が器体の窓孔を通して視認できるために正常状態と漏電状態とが区別し易く、しかも、漏電表示部材がコイル枠を挟んでテスト釦と反対側に配置されるために漏電表示部材がテスト釦の邪魔にならずにテスト釦が器体に収納し易くなるという効果がある。また、吸引力を増大させてプランジャ並びに漏電表示部材の移動を確実に行わせることができるという効果がある。
【００３６】
請求項２の発明は、請求項１の発明において、漏電表示部材は連結部と対向する方向に折り返して形成されるので、漏電表示部材の移動範囲をコイル枠に近づけて器体の小型化が図れるという効果がある。
【００３７】
請求項３の発明は、請求項１又は２の発明において、漏電表示部材が非磁性材料で形成されたので、励磁されたコイルの磁気吸引力が漏電表示部材に働かず、漏電表示部材をスムーズに移動させることができるという効果がある。
【００３９】
請求項４の発明は、請求項１又は２又は３の発明において、コイルの非励磁時にコイル枠の端部に当接してコイル枠からのプランジャの抜けを防ぐ抜止部を漏電表示部材に設けたので、コイル枠からのプランジャの抜け防止にヨークが関与しないためにプランジャを反吸引方向に移動する際に不要な力が働かず、プランジャの移動が容易になるという効果がある。
【００４０】
請求項５の発明は、請求項１〜４の何れかの発明において、プランジャを反吸引方向に付勢する復帰ばねと、遮断機構部と連動して動作し、コイル枠内部に吸引されたプランジャに係合してプランジャの反吸引方向への移動を規制するとともに、遮断機構部による電路の遮断を中止して接点を閉極させたリセット時にはプランジャとの係合を解除するストッパ部材とを備えたので、漏電発生時にはストッパ部材によってプランジャの反吸引方向への移動を規制するために漏電表示位置にある漏電表示部材を窓孔に臨む状態で静止させることができ、また、リセット時にはストッパ部材とプランジャとの係合を解除することで復帰ばねのばね力によってプランジャが元の位置に復帰して漏電表示部材を非漏電表示位置に移動させることができ、正常状態と漏電状態とをさらに確実に表示させることができるという効果がある。
【図面の簡単な説明】
【図１】実施形態を示し、開閉機構部がトリップした後、安定した状態を示す一部破断した側面図である。
【図２】同上の正面図である。
【図３】同上のカバーを取り外した状態の正面図である。
【図４】同上のハンドル操作による開放状態を示す一部破断した側面図である。
【図５】同上のハンドル操作による開放状態を示す一部破断した側面図である。
【図６】同上の投入状態を示す一部破断した側面図である。
【図７】同上の開閉機構部がトリップした直後の状態を示す一部破断した側面図である。
【図８】同上における電磁釈放装置の分解斜視図である。
【図９】（ａ）は正常時の窓孔から見える漏電表示部材を示す一部省略した正面図、（ｂ）は漏電発生時の窓孔から見える漏電表示部材を示す一部省略した正面図である。
【符号の説明】
１  器体
５  開閉機構部
６  引き外し装置
９  電磁釈放装置
４０  窓孔
４２  テスト釦
９０  コイル
９１  コイル枠
９３  プランジャ
９４  ストッパ部材
１００  漏電表示部材
１０１  連結部
【図１】
0003661591.tif 000002
【図２】
0003661591.tif 000003
【図３】
0003661591.tif 000004
【図４】
0003661591.tif 000005
【図５】
0003661591.tif 000006
【図６】
0003661591.tif 000007
【図７】
0003661591.tif 000008
【図８】
0003661591.tif 000009
【図９】
0003661591.tif 000010